(57)【要約】【課題】小児用の抑制具の利便性を高める。【解決手段】抑制具は、仰臥位の小児Ｃを支える支持体１０と、支持体１０に取り付けられ、小児Ｃの胸部の動きを抑制する胸部抑制帯３０と、支持体１０に取り付けられ、小児Ｃの２本の下肢ＬＲ，ＬＬのそれぞれの動きを抑制する下肢抑制帯５０と、を備える。支持体１０は、複数の空孔が形成されて仰臥位の小児Ｃが載る弾性部材１１と、弾性部材１１で小児Ｃが載る上面と反対側の下面と対向し、弾性部材１１に小児Ｃが載った際の下面の変形を抑える剛性板１５と、弾性部材１１及び剛性板１５を出し入れ可能に覆う被覆部材２１と、を有する。胸部抑制帯３０及び下肢抑制帯５０は、被覆部材２１に取り付けられている。【選択図】図１
2016093275.tif 000002
【特許請求の範囲】
【請求項１】
仰臥位の小児を支える支持体と、
前記支持体に取り付けられ、小児の胸部の動きを抑制する胸部抑制帯と、
前記支持体に取り付けられ、小児の２本の下肢のそれぞれの動きを抑制する下肢抑制帯と、
を備え、
前記支持体は、複数の空孔が形成されて仰臥位の小児が載る弾性部材と、前記弾性部材で前記小児が載る上面と反対側の下面と対向し、前記弾性部材に小児が載った際の前記下面の変形を抑える剛性板と、前記弾性部材及び前記弾性部材が載っている前記剛性板を出し入れ可能に覆う被覆部材と、を有し、
前記胸部抑制帯及び前記下肢抑制帯は、前記被覆部材に取り付けられている、
抑制具。
【請求項２】
請求項１に記載の抑制具において、
帯状を成し、第一端部及び第二端部のそれぞれが前記被覆部材中の互いに異なる位置に取り付けられている抱き帯を備える、
抑制具。
【請求項３】
請求項２に記載の抑制具において、
前記抱き帯は、前記被覆部材に取り付けられている前記第一端部を含む第一取付部と、前記被覆部材に取り付けられている前記第二端部を含む第二取付部と、帯状を成し、前記第一取付部及び前記第二取付部に対して端部が着脱自在な帯部と、を有する、
抑制具。
【請求項４】
請求項１から３のいずれか一項に記載の抑制具において、
前記被覆部材は、一層以上のシート材が積層されて形成され、前記シート材のうち、前記被覆部材の最外層を成すシート材は、メッシュ地である、
抑制具。
【請求項５】
請求項１から４のいずれか一項に記載の抑制具において、
前記剛性板は、炭素繊維強化樹脂で形成されている、
抑制具。
【請求項６】
請求項１から５のいずれか一項に記載の抑制具において、
弾性材を含み、前記被覆部材中で前記胸部抑制帯が取り付けられる位置に沿って着脱自在に取り付けられ、小児の胸部の背面から側面にかけて接する胸部フィッテイング具を備える、
抑制具。
【請求項７】
請求項１から６のいずれか一項に記載の抑制具において、
弾性材を含み、前記被覆部材中で前記下肢抑制帯が取り付けられる位置に沿って着脱自在に取り付けられ、小児の下肢の背面から側面にかけて接する下肢フィッテイング具を備える、
抑制具。
【請求項８】
請求項１から７のいずれか一項に記載の抑制具において、
前記被覆部材は、前記弾性部材及び前記剛性板が入り、前記弾性部材及び前記剛性板が出し入れ可能な開口が形成されている被覆袋と、前記開口を閉状態に維持する閉じ具と、を有する、
抑制具。
【請求項９】
請求項１から７のいずれか一項に記載の抑制具において、
前記支持体は、小児の胴体を支持する胴体支持部と、小児の左下肢を支持する左下肢支持部と、小児の右下肢を支持する右下肢支持部と、を有し、
前記左下肢支持部と右下肢支持部とは、互いに離間して前記胴体支持部に接続されている、
抑制具。
【請求項１０】
請求項１から９のいずれか一項に記載の抑制具において、
前記下肢抑制帯は、小児の左下肢の動きを抑制する左下肢抑制帯と、小児の右下肢の動きを抑制する右下肢抑制帯と、を有し、
前記左下肢抑制帯及び前記右下肢抑制帯は、前記被覆部材中で、小児の二本の下肢の各膝が互いに離間した状態で各下肢の動きを抑制できる位置に取り付けられている、
抑制具。
【請求項１１】
請求項１０に記載の抑制具において、
前記左下肢抑制帯及び前記右下肢抑制帯は、いずれも、小児の大腿中の膝寄りの部分の動きを抑制する大腿抑制帯と、小児の下腿中の膝寄りの部分の動きを抑制する下腿抑制帯と、を有する、
抑制具。
【発明の詳細な説明】
【技術分野】
【０００１】
本発明は、小児の体動を抑制する抑制具に関する。
【背景技術】
【０００２】
医療現場では、患者の体動を抑制する抑制具が利用されることがある。このような抑制具としては、例えば、以下の特許文献１に記載されているものがある。この抑制具は、患者の上半身に装着されるベストと、ベストの複数箇所を寝具に固定する固定部材と、を備えている。
【先行技術文献】
【特許文献】
【０００３】
【特許文献１】特開２０１１−１４０７２２号公報
【発明の概要】
【発明が解決しようとする課題】
【０００４】
小児に対する心臓カテーテル検査では、小児の鼠蹊部からカテーテルが挿入される。このため、この検査後、カテーテル挿入部を止血し、さらにカテーテル挿入部からの再出血を予防する必要がある。そこで、心臓カテーテル検査後、小児の体動を抑制する抑制具が利用される。この抑制具は、心臓カテーテル検査後の他に、各種検査中にも利用される。
【０００５】
このように、小児用の抑制具では、以上のように、カテーテル挿入部の止血や再出血の予防が求められることがある。さらに、小児では、抑制具の使用中に失禁することがあるため、その洗浄性の向上も求められる。すなわち、医療現場では、小児用の抑制具の利便性の向上が求められている。
【０００６】
そこで、本発明は、利便性を高めることができる小児用の抑制具を提供することを目的とする。
【課題を解決するための手段】
【０００７】
上記問題点を解決するための発明の一態様としての抑制具は、
仰臥位の小児を支える支持体と、前記支持体に取り付けられ、小児の胸部の動きを抑制する胸部抑制帯と、前記支持体に取り付けられ、小児の２本の下肢のそれぞれの動きを抑制する下肢抑制帯と、を備え、前記支持体は、複数の空孔が形成されて仰臥位の小児が載る弾性部材と、前記弾性部材で前記小児が載る上面と反対側の下面と対向し、前記弾性部材に小児が載った際の前記下面の変形を抑える剛性板と、前記弾性部材及び前記弾性部材が載っている前記剛性板を出し入れ可能に覆う被覆部材と、を有し、前記胸部抑制帯及び前記下肢抑制帯は、前記被覆部材に取り付けられている。
【０００８】
当該抑制具では、小児の上半身のみならず、小児の２本の下肢の動きを抑制することができる。このため、例えば、小児の鼠蹊部からカテーテルが挿入される心臓カテーテル検査後、当該抑制具を用いることで、このカテーテル挿入部の止血及びカテーテル挿入部からの再出血を予防することができる。
【０００９】
当該抑制具では、支持体を構成する被覆部材の収納物として、弾性部材を有するので、仰臥位の小児に苦痛を与えることなく、仰臥位の小児を支持することができる。しかも、この被覆部材の収納物として、剛性板を有するので、抑制具で体動が抑制されている小児を抑制具ごと移動させるにあたり、支持体の変形を抑えることができる。このため、この移動に伴なう小児の再出血等を防ぐことができる。
【００１０】
小児は、抑制具の使用中に失禁することがある。当該抑制具では、被覆部材からその収納物を出し入れできるため、被覆部材、被覆部材に取り付けられている抑制帯、さらに被覆部材の収容物を容易に洗浄することができる。また、例えば、被覆部材のみが汚れた場合、収納物を取り出した被覆部材及び抑制帯のみを洗浄することもできる。さらに、被覆部材のみを新たな被覆部材に交換することもできる。
【００１１】
ここで、前記抑制具において、帯状を成し、第一端部及び第二端部のそれぞれが前記被覆部材中の互いに異なる位置に取り付けられている抱き帯を備えてもよい。
【００１２】
当該抑制具では、抱き帯を備えているので、看護師等がこの抱き帯を首にまわして肩にかけることで、看護師等が抑制具で体動が抑制されている小児を抑制具ごと容易に抱き上げることができる。
【００１３】
前記抱き帯を備えている前記抑制具において、前記抱き帯は、前記被覆部材に取り付けられている前記第一端部を含む第一取付部と、前記被覆部材に取り付けられている前記第二端部を含む第二取付部と、帯状を成し、前記第一取付部及び前記第二取付部に対して端部が着脱自在な帯部と、を有してもよい。
【００１４】
当該抑制具では、抑制具をベッドや検査台等の上に置いている際には、帯部を被覆部材から外しておくことができる。
【００１５】
また、以上のいずれかの前記抑制具において、前記被覆部材は、一層以上のシート材が積層されて形成され、前記シート材のうち、前記被覆部材の最外層を成すシート材は、メッシュ地であってもよい。
【００１６】
当該抑制具では、被覆部材の通気性を高めることができる。
【００１７】
また、以上のいずれかの前記抑制具において、前記剛性板は、炭素繊維強化樹脂で形成されていてもよい。
【００１８】
当該抑制具では、剛性板の軽量化及び高剛性化を図ることができる。このため、当該抑制具では、抑制具で体動が抑制されている小児を抑制具ごと容易に移動させることができる上に、この移動に伴なう支持体の変形をより抑えることができる。また、炭素繊維強化樹脂は、Ｘ線透過性の高い材料である。このため、炭素繊維強化樹脂で剛性板を形成すると、抑制具で体動が抑制されている小児に対して、そのままＸ線を利用した検査等を行うことができる。
【００１９】
また、以上のいずれかの前記抑制具において、弾性材を含み、前記被覆部材中で前記胸部抑制帯が取り付けられる位置に沿って着脱自在に取り付けられ、小児の胸部の背面から側面にかけて接する胸部フィッテイング具を備えてもよい。
【００２０】
当該抑制具では、胸部サイズが異なる複数の小児に適用することができる。
【００２１】
また、以上のいずれかの前記抑制具において、弾性材を含み、前記被覆部材中で前記下肢抑制帯が取り付けられる位置に沿って着脱自在に取り付けられ、小児の下肢の背面から側面にかけて接する下肢フィッテイング具を備えてもよい。
【００２２】
当該抑制具では、下肢サイズが異なる複数の小児に適用することができる。
【００２３】
また、以上のいずれかの前記抑制具において、前記被覆部材は、前記弾性部材及び前記剛性板が入り、前記弾性部材及び前記剛性板が出し入れ可能な開口が形成されている被覆袋と、前記開口を閉状態に維持する閉じ具と、を有してもよい。
【００２４】
当該抑制具では、被覆部材からその収納物の出し入れを容易に行うことができると共に、被覆部材から収納物のはみ出しを抑えることができる。
【００２５】
また、以上のいずれかの前記抑制具において、前記支持体は、小児の胴体を支持する胴体支持部と、小児の左下肢を支持する左下肢支持部と、小児の右下肢を支持する右下肢支持部と、を有し、前記左下肢支持部と右下肢支持部とは、互いに離間して前記胴体支持部に接続されていてもよい。
【００２６】
当該抑制具では、抑制具で体動が抑制されている小児を抑制具ごと移動させるにあたり、看護師等が左下肢支持部と右下肢支持部との間から胴体支持部の下側に片腕を入れることで、容易に小児を抑制具ごと移動させることができる。
【００２７】
また、以上のいずれかの前記抑制具において、前記下肢抑制帯は、小児の左下肢の動きを抑制する左下肢抑制帯と、小児の右下肢の動きを抑制する右下肢抑制帯と、を有し、前記左下肢抑制帯及び前記右下肢抑制帯は、前記被覆部材中で、小児の二本の下肢の各膝が互いに離間した状態で各下肢の動きを抑制できる位置に取り付けられていてもよい。
【００２８】
当該抑制具では、二本の下肢の各膝が互いに離間した状態で二本の下肢の動きを抑制できるので、おしめ交換を容易に行うことができる。
【００２９】
前記下肢抑制帯が左下肢抑制帯と右下肢抑制帯とを有する前記抑制具において、前記左下肢抑制帯及び前記右下肢抑制帯は、いずれも、小児の大腿中の膝寄りの部分の動きを抑制する大腿抑制帯と、小児の下腿中の膝寄りの部分の動きを抑制する下腿抑制帯と、を有してもよい。
【００３０】
当該抑制具では、各下肢の股関節及び膝関節の屈曲を抑制することができる。このため、例えば、小児の鼠蹊部からカテーテルが挿入される心臓カテーテル検査後、当該抑制具を用いることで、極めて効果的に、カテーテル挿入部の止血及びカテーテル挿入部からの再出血を予防することができる。
【発明の効果】
【００３１】
本発明の一態様では、小児用の抑制具の利便性を高めることができる。
【図面の簡単な説明】
【００３２】
【図１】本発明に係る一実施形態における抑制具の斜視図である。
【図２】本発明に係る一実施形態における弾性部材及び剛性板の斜視図である。
【図３】本発明に係る一実施形態における被覆部材の斜視図である。
【図４】本発明に係る一実施形態における抑制具の平面図である。
【図５】図４におけるＶ−Ｖ線断面図である。
【図６】図４におけるＶI−ＶI線断面図である。
【図７】本発明に係る一実施形態における抱き帯付き抑制具の斜視図である。
【図８】図４におけるＶIII−ＶIII線断面図である。
【図９】図４におけるIＸ矢視図である。
【発明を実施するための形態】
【００３３】
以下、本発明に係る抑制具の一実施形態について、図面を参照して詳細に説明する。
【００３４】
抑制具は、図１、図４及び図５に示すように、仰臥位の小児Ｃを支える支持体１０と、小児Ｃの胸部の動きを抑制する胸部抑制帯３０と、小児Ｃの２本の下肢Ｌのそれぞれの動きを抑制する下肢抑制帯５０と、を備える。なお、以下の説明の都合上、抑制具で小児Ｃが載る側を上側Ｓａ、その反対側を下側Ｓｂとする。また、小児Ｃの頭が載る側を頭側Ｓｈ、その反対側を足側Ｓｆとする。
【００３５】
支持体１０は、図１〜図３に示すように、仰臥位の小児Ｃが載る弾性部材１１と、弾性部材１１を支える剛性板１５と、弾性部材１１及び剛性板１５を覆う被覆部材２１と、を有する。
【００３６】
弾性部材１１は、樹脂発泡体で形成されている。樹脂発泡体を形成する樹脂としては、例えば、ポリウレタンやポリエチレン等がある。ポリウレタンやポリエチレンを材料とした樹脂発泡体は、いずれも、Ｘ線の透過性が高い、言い換えるとＣＴ値の低いものである。このため、ポリウレタンやポリエチレンを材料とした樹脂発泡体で弾性部材を形成すると、抑制具で体動が抑制されている小児に対して、そのままＸ線を利用した検査等を行うことができる。また、この弾性部材１１を形成する樹脂発砲体は、セルに膜が無く骨格構造を成し、通気性及び通水性の高い無膜構造のものが好ましい。無膜構造の樹脂発泡体として、例えば、「ムマックス（アキレス株式会社の登録商標）」等がある。
【００３７】
弾性部材１１は、図１、図２、図５及び図６に示すように、小児Ｃの左下肢ＬＬを支持する左下肢支持部１２Ｌと、右下肢ＬＲを支持する右下肢支持部１２Ｒと、胴体を支持する胴体支持部１２と、を有する。胴体支持部１２は、矩形板状を成し、その一辺である足側Ｓｆの辺に、互いの間隔をあけて左下肢支持部１２Ｌと右下肢支持部１２Ｒとが接続されている。胴体支持部１２、左下肢支持部１２Ｌ及び右下肢支持部１２Ｒのそれぞれには、小児Ｃが載る上面１２１，１２１Ｌ，１２１Ｒと、その反対側の下面１２２，１２２Ｌ，１２２Ｒとが形成されている。胴体支持部１２、左下肢支持部１２Ｌ及び右下肢支持部１２Ｒは、一体成型されて、弾性部材１１を成している。胴体支持部１２、左下肢支持部１２Ｌ及び右下肢支持部１２Ｒの上面１２１，１２１Ｌ，１２１Ｒは相互に面一であり、同様に、各部の下面１２２，１２２Ｌ，１２２Ｒも相互に面一である。
【００３８】
剛性板１５は、各種樹脂や木材で形成されている。特に、剛性板１５は、炭素繊維強化樹脂で形成されていることが好ましい。炭素繊維強化樹脂は、強化材として炭素繊維が用いられ、母材（マトリックス）として樹脂が用いられている。母材を形成する樹脂としては、エポキシ樹脂、ポリプロピレン、ポリカーボネート、ＡＢＳ樹脂（アクリロニトリルとブタジエンとスチレンとの共重合合成樹脂）、ポリアミド系樹脂、ポリブチレンテレフタレート、ポリフェニレンサルファイド等がある。この炭素繊維強化樹脂は、剛性が高い上に軽量である。このため、炭素繊維強化樹脂で剛性板１５を形成すると、抑制具で体動が抑制されている小児Ｃを抑制具ごと容易に移動させることができる上に、この移動に伴なう支持体１０の変形を抑えることができる。また、炭素繊維強化樹脂は、Ｘ線の透過性が高い、言い換えるとＣＴ値の低い材料である。このため、炭素繊維強化樹脂で剛性板１５を形成すると、抑制具で体動が抑制されている小児Ｃに対して、そのままＸ線を利用した検査等を行うことができる。なお、炭素繊維強化樹脂中の炭素繊維含有率を高めることで、この炭素繊維強化樹脂のＸ線の透過性を高めることができる。また、剛性板１１は、木材、例えば、合板で形成してもよい。木材も、Ｘ線の透過性が高い材料である。このため、木材で剛性板１５を形成しても、抑制具で体動が抑制されている小児Ｃに対して、そのままＸ線を利用した検査等を行うことができる。
【００３９】
剛性板１５は、弾性部材１１の左下肢支持部１２Ｌの下面１２２Ｌに接する左下肢支持部１６Ｌと、弾性部材１１の右下肢支持部１２Ｒの下面１２２Ｒに接する右下肢支持部１６Ｒと、弾性部材１１の胴体支持部１２の下面１２２に接する胴体支持部１６と、を有する。剛性板１５の胴体支持部１６は、矩形板状を成し、その一辺である足側Ｓｆの辺に、互いに左右方向に間隔をあけて剛性板１５の左下肢支持部１６Ｌと剛性板１５の右下肢支持部１６Ｒとが接続されている。胴体支持部１６、左下肢支持部１６Ｌ及び右下肢支持部１６Ｒは、一体成型されて、剛性板１５を成している。
【００４０】
被覆部材２１は、図１、図３、図５及び図６に示すように、収納物である弾性部材１１及び剛性板１５が入り、弾性部材１１及び剛性板１５が出し入れ可能な開口２６が形成されている被覆袋２２と、開口２６を閉状態に維持しておくための閉じ具２９と、を有する。
【００４１】
被覆袋２２は、一層以上のシート材が積層されて形成されている。シート材としては、木綿、麻、羊毛等の天然繊維を織ったもの、ポリエチレンやポリエステル等の合成繊維を織ったもの、さらに、天然繊維及び合成繊維を合せて織ったもの等がある。被覆袋２２の最外層を形成するシート材は、メッシュ地であることが好ましい。メッシュ地とは、表から裏に向かって貫通する複数の開口が形成され、伸縮性を有するシート材のことである。被覆袋２２の最外層を形成するシート材として、メッシュ地のシート材を用いると、吸汗性や速乾性を高めることができる。また、被覆袋２２の少なくとも最外層を形成するシート材には、撥水加工、抗菌加工が施されていることが好ましい。
【００４２】
被覆袋２２は、弾性部材１１及び剛性板１５の左下肢支持部１２Ｌ，１６Ｌが入る左足側収納部２３Ｌと、弾性部材１１及び剛性板１５の右下肢支持部１２Ｒ，１６Ｒが入る右足側収納部２３Ｒと、弾性部材１１及び剛性板１５の胴体支持部１２，１６が入る胴収納部２３と、を有する。左足側収納部２３Ｌ、右足側収納部２３Ｒ及び胴収納部２３は、一体である。
【００４３】
左足側収納部２３Ｌ及び右足側収納部２３Ｒは、いずれも、それらの収納物の上面を被覆する上面被覆片２３１Ｌ，２３１Ｒと、それらの収納物の下面を被覆する下面被覆片２３２Ｌ，２３２Ｒと、それらの収納物の足側端面を被覆する端面被覆片２３３Ｌ，２３３Ｒと、それらの収納物の左側面を被覆する左側面被覆片２３５Ｌ，２３５Ｒと、それらの収納物の右側面を被覆する右側面被覆片２３４Ｌ，２３４Ｒと、を有する。また、胴収納部２３は、その収納物の上面を被覆する上面被覆片２３１と、その収納物の下面を被覆する下面被覆片２３２と、その収納物の左側面を被覆する左側面被覆片２３５と、その収納物の右側面を被覆する右側面被覆片２３４と、を有する。
【００４４】
右足側収納部２３Ｒと胴収納部２３とは、上面被覆片２３１Ｒ，２３１相互、下面被覆片２３２Ｒ，２３２相互、右側面被覆片２３４Ｒ，２３４相互がつながっている。左足側収納部２３Ｌと胴収納部２３とは、上面被覆片２３１Ｌ，２３１相互、下面被覆片２３２Ｌ，２３２相互、左側面被覆片２３５Ｌ，２３５相互がつながっている。
【００４５】
右足側収納部２３Ｒの上面被覆片２３１Ｒに対して、右足側収納部２３Ｒの右側面被覆片２３４Ｒ、左側面被覆片２３５Ｒ及び端面被覆片２３３Ｒがつながっている。また、右足側収納部２３Ｒの下面被覆片２３２Ｒに対して、右足側収納部２３Ｒの右側面被覆片２３４Ｒがつながっている。一方、右足側収納部２３Ｒの端面被覆片２３３Ｒに対して、右足側収納部２３Ｒの右側面被覆片２３４Ｒ、左側面被覆片２３５Ｒ、及び下面被覆片２３２Ｒはつながっていない。また、右足側収納部２３Ｒの左側面被覆片２３５Ｒに対して、端面被覆片２３３Ｒ、下面被覆片２３２Ｒはつながっていない。このため、右足側収納部２３Ｒは、その足側端面を足側端面開口２３６Ｒにすることができる一方で、この足側端面開口２３６Ｒを端面被覆片２３３Ｒで塞ぐことができる。端面被覆片２３３Ｒで足側端面開口２３６Ｒを塞いでいる状態を維持するために、端面被覆片２３３Ｒには、一対の面ファスナー２９１Ｒ，２９１Ｒのうちの一方の面ファスナー２９１Ｒが張り付けられ、下面被覆片２３２Ｒには、他方の面ファスナー２９１Ｒが張り付けられている。また、右足側収納部２３Ｒは、その左側面を左側面開口２３７Ｒにすることができる一方で、この左側面開口２３７Ｒを左側面被覆片２３５Ｒで塞ぐことができる。左側面被覆片２３５Ｒで左側面開口２３７Ｒを塞いでいる状態を維持するために、左側面被覆片２３５Ｒには、一対の面ファスナー２９２Ｒ，２９２Ｒのうちの一方の面ファスナー２９２Ｒが張り付けられ、下面被覆片２３２Ｒには、他方の面ファスナー２９２Ｒが張り付けられている。
【００４６】
左足側収納部２３Ｌの上面被覆片２３１Ｌに対して、左足側収納部２３Ｌの左側面被覆片２３５Ｌ、右側面被覆片２３４Ｌ及び端面被覆片２３３Ｌがつながっている。また、左足側収納部２３Ｌの下面被覆片２３２Ｌに対して、左足側収納部２３Ｌの左側面被覆片２３５Ｌがつながっている。一方、左足側収納部２３Ｌの端面被覆片２３３Ｌに対して、左足側収納部２３Ｌの左側面被覆片２３５Ｌ、右側面被覆片２３４Ｌ、及び下面被覆片２３２Ｌはつながっていない。また、左足側収納部２３Ｌの右側面被覆片２３４Ｌに対して、端面被覆片２３３Ｌ、下面被覆片２３２Ｌはつながっていない。このため、左足側収納部２３Ｌは、その足側端面を足側端面開口２３６Ｌにすることができる一方で、この足側端面開口２３６Ｌを端面被覆片２３３Ｌで塞ぐことができる。端面被覆片２３３Ｌで足側端面開口２３６Ｌを塞いでいる状態を維持するために、端面被覆片２３３Ｌには、一対の面ファスナー２９１Ｌ，２９１Ｌのうちの一方の面ファスナー２９１Ｌが張り付けられ、下面被覆片２３２Ｌには、他方の面ファスナー２９１Ｌが張り付けられている。また、左足側収納部２３Ｌは、その右側面を右側面開口２３７Ｌにすることができる一方で、この右側面開口２３７Ｌを右側面被覆片２３４Ｌで塞ぐことができる。右側面被覆片２３４Ｌで右側面開口２３７Ｌを塞いでいる状態を維持するために、右側面被覆片２３４Ｌには、一対の面ファスナー２９２Ｌ，２９２Ｌのうちの一方の面ファスナー２９２Ｌが張り付けられ、下面被覆片２３２Ｌには、他方の面ファスナー２９２Ｌが張り付けられている。
【００４７】
胴収納部２３の上面被覆片２３１の足側縁であって、右足側収納部２３Ｒと左足側収納部２３Ｌとの間における足側縁と、胴収納部２３の下面被覆片２３２の足側縁であって、右足側収納部２３Ｒと左足側収納部２３Ｌとの間における足側縁との間は、足側開口２３６を成している。
【００４８】
右足側収納部２３Ｒの足側端面開口２３６Ｒとその左側面開口２３７Ｒ、左足側収納部２３Ｌの足側端面開口２３６Ｌとその右側面開口２３７Ｌ、さらに、胴収納部２３の足側開口２３６とは、互いに連なっており、前述した被覆袋２２の開口２６を形成している。
【００４９】
胴収納部２３の上面被覆片２３１の足側Ｓｆであって、右足側収納部２３Ｒと左足側収納部２３Ｌとの間には、閉じ帯２９３の一端がつながっている。胴収納部２３の下面被覆片２３２の足側Ｓｆであって、右足側収納部２３Ｒと左足側収納部２３Ｌとの間には、一対の面ファスナー２９１，２９１のうち一方の面ファスナー２９１が張り付けられ、閉じ帯２９３の他端には、他方の面ファスナー２９１が張り付けられている。
【００５０】
閉じ帯２９３、この閉じ帯２９３に張り付けられている面ファスナー２９１、被覆袋２２の各被覆片に張り付けられている面ファスナー２９１Ｒ，２９１Ｌ，２９２Ｒ，２９２Ｌは、被覆袋２２の開口２６を閉状態に維持しておくための前述の閉じ具２９を構成する。
【００５１】
閉じ帯２９３は、被覆袋２２の形成材料として例示したものと同様の材料で形成されている。面ファスナー２９１，２９１Ｒ，２９１Ｌ，２９２Ｒ，２９２Ｌは、一般的に、「マジックテープ（株式会社クラレの登録商標）」と呼ばれ、雄側の面ファスナーと雌側の面ファスナーとで対を成す。この面ファスナーは、基本的に、ポリエステル等の合成樹脂で形成されている。
【００５２】
胸部抑制帯３０は、図１、図４及び図８に示すように、第一胸部抑制帯３１と第二胸部抑制帯３２とを有する。第一胸部抑制帯３１及び第二胸部抑制帯３２は、いずれも、抑制帯部３５と、抑制帯部３５に取り付けられている面ファスナー３６とを有する。各抑制帯部３５の一方の端部は、左右方向に互いに間隔をあけて、被覆袋２２における胴収納部２３の上面被覆片２３１に取り付けられている。第一胸部抑制帯３１の面ファスナー３６は、抑制帯部３５の互いに相反する方向を向く面のうち、一方の面側に取り付けられ、第二胸部抑制帯３２の面ファスナー３６は、抑制帯部３５の互いに相反する方向を向く面のうち、他方の面側に取り付けられている。
【００５３】
下肢抑制帯５０は、図１、図４及び図９に示すように、小児Ｃの左下肢ＬＬの動きを抑制する左下肢抑制帯５０Ｌと、右下肢ＬＲの動きを抑制する右下肢抑制帯５０Ｒと、を有する。左下肢抑制帯５０Ｌ及び右下肢抑制帯５０Ｒは、被覆袋２２の表面中で、小児Ｃの左下肢ＬＬの膝と右下肢ＬＲの膝とが互いに離間した状態で各下肢ＬＬ，ＬＲの動きを抑制できる位置に取り付けられている。具体的に、左下肢抑制帯５０Ｌは、被覆袋２２における左足側収納部２３Ｌの上面被覆片２３１Ｌに取り付けられ、右下肢抑制帯５０Ｒは、被覆袋２２における右足側収納部２３Ｒの上面被覆片２３１Ｒに取り付けられている。
【００５４】
左下肢抑制帯５０Ｌ及び右下肢抑制帯５０Ｒは、いずれも、小児Ｃの大腿中の膝寄りの部分の動きを抑制する大腿抑制帯５１と、小児Ｃの下腿中の膝寄りの部分の動きを抑制する下腿抑制帯６１と、を有する。
【００５５】
左下肢抑制帯５０Ｌ及び右下肢抑制帯５０Ｒの大腿抑制帯５１は、いずれも、図４及び図９に示すように、第一大腿抑制帯５２と第二大腿抑制帯５３とを有する。第一大腿抑制帯５２及び第二大腿抑制帯５３は、いずれも、胸部抑制帯３０と同様、抑制帯部５５と、抑制帯部５５に取り付けられている面ファスナー５６とを有する。各抑制帯部５５の一方の端部は、左右方向に互いの間隔をあけて、被覆袋２２に取り付けられている。第一大腿抑制帯５２の面ファスナー５６と第二大腿抑制帯５３の面ファスナー５６とは、対を成す面ファスナーで、両者を貼り合せると、小児Ｃの大腿中の膝寄りの部分の動きを抑制することができる。
【００５６】
左下肢抑制帯５０Ｌ及び右下肢抑制帯５０Ｒの下腿抑制帯６１は、いずれも、第一下腿抑制帯６２と第二下腿抑制帯６３とを有する。第一下腿抑制帯６２及び第二下腿抑制帯６３は、いずれも、胸部抑制帯３０や大腿抑制帯５１と同様、抑制帯部６５と、抑制帯部６５に取り付けられている面ファスナー６６とを有する。各抑制帯部６５の一方の端部は、左右方向に互いの間隔をあけて、被覆袋２２に取り付けられている。第一下腿抑制帯６２の面ファスナー６６と第二下腿抑制帯６３の面ファスナー６６とは、対を成す面ファスナーで、両者を貼り合せると、小児Ｃの下腿中の膝寄りの部分の動きを抑制することができる。
【００５７】
左下肢抑制帯５０Ｌ及び右下肢抑制帯５０Ｒは、以上のように、いずれも、大腿抑制帯５１及び下腿抑制帯６１を有することにより、各下肢の股関節及び膝関節の屈曲を抑制することができる。
【００５８】
胸部抑制帯３０の各抑制帯部３５、左下肢抑制帯５０Ｌ及び右下肢抑制帯５０Ｒの各抑制帯部５５,６５は、閉じ帯２９３や被覆袋２２の形成材料として例示したものと同様の材料で形成されている。左下肢抑制帯５０Ｌ及び右下肢抑制帯５０Ｒの面ファスナー５６,６６は、前述した被覆袋２２に設けられている面ファスナー２９１，２９１Ｒ，２９１Ｌと基本的に同一である。
【００５９】
本実施形態の抑制具は、さらに、図７に示すように、抱き帯７０を備えている。この抱き帯７０は、帯状を成し、第一端部７１及び第二端部７４のそれぞれが被覆袋２２の表面中で互いに異なる位置に取り付けられている。具体的に、第一端部７１は、被覆袋２２における左足側収納部２３Ｌの左側面被覆片２３５Ｌに取り付けられている。また、第二端部７４は、被覆袋２２における胴収納部２３の右側面被覆片２３４中で小児Ｃの右肩の側部に該当する位置に取り付けられている。また、この抱き帯７０は、被覆袋２２に取り付けられている第一端部７１を含む第一取付部７３と、被覆袋２２に取り付けられている第二端部７４を含む第二取付部７６と、帯状を成す抱き帯部７７と、を有している。抱き帯部７７は、各端部が第一取付部７３及び第二取付部７６に対して着脱自在である。このため、抱き帯部７７の各端部には、例えば、バックルを構成する対を成す部品のうちの一方の部品が取り付けられ、第一取付部７３及び第二取付部７６には、バックルの他方の部品が取り付けられている。抱き帯部７７は、被覆袋２２の形成材料として例示したものと同様の材料で形成されている。
【００６０】
本実施形態の抑制具は、さらに、図８及び図９に示すように、胸部フィッテイング具８０及び下肢フィッテイング具８５を備えている。
【００６１】
胸部フィッテイング具８０は、弾性材で形成され、小児Ｃの胸部の背面から側面にかけて接する胸部フィッテイング本体８１と、胸部フィッテイング本体８１に張り付けられている面ファスナー８２と、を有する。この面ファスナー８２と対を成す面ファスナー８２は、被覆袋２２の表面中で胸部抑制帯３０が取り付けられる位置に沿って張り付けられている。このため、胸部フィッテイング具８０は、被覆袋２２の表面中で胸部抑制帯３０が取り付けられる位置に沿った位置に対して着脱自在である。
【００６２】
下肢フィッテイング具８５は、弾性材で形成され、小児Ｃの下肢Ｌの背面から側面にかけて接する下肢フィッテイング本体８６と、下肢フィッテイング本体８６に張り付けられている面ファスナー８７と、を有する。この面ファスナー８７と対を成す面ファスナー８７は、被覆袋２２の表面中で下肢抑制帯５０が取り付けられる位置に沿って張り付けられている。このため、下肢フィッテイング具８５は、被覆袋２２の表面中で下肢抑制帯５０が取り付けられる位置に沿った位置に対して着脱自在である。
【００６３】
胸部フィッテイング本体８１及び下肢フィッテイング本体８６は、例えば、前述の弾性部材１１と同様の材料で形成されている。
【００６４】
以上のように、本実施形態では、小児Ｃの上半身のみならず、小児Ｃの２本の下肢の動きを抑制することができる。このため、例えば、小児Ｃの鼠蹊部からカテーテルが挿入される心臓カテーテル検査後、本実施形態の抑制具を用いることで、このカテーテル挿入部の止血及びカテーテル挿入部から再出血を予防することができる。特に、本実施形態では、左下肢抑制帯５０Ｌ及び右下肢抑制帯５０Ｒのいずれもが大腿抑制帯５１及び下腿抑制帯６１を有するため、各下肢ＬＬ，ＬＲの股関節及び膝関節の屈曲を抑制することができ、結果として、極めて効果的に、カテーテル挿入部の止血及びカテーテル挿入部からの再出血を予防することができる。
【００６５】
小児Ｃは、抑制具の使用中に失禁することがある。本実施形態の抑制具では、被覆部材２１からその収納物を容易に出し入れできるため、被覆部材２１、被覆部材２１に取り付けられている抑制帯３０,５０、さらに被覆部材２１の収容物を容易に洗浄することができる。また、例えば、被覆部材２１のみが汚れた場合、収納物を取り出した被覆部材２１及び抑制帯３０,５０のみを洗浄することもできる。さらに、被覆部材２１のみを新たな被覆部材２１に交換することもできる。また、本実施形態の抑制具は、閉じ具２９を備えているための被覆部材２１の開口２６からその収容物のはみ出しを抑えることができる。
【００６６】
本実施形態の支持体１０を構成する被覆部材２１の収納物として、弾性部材１１を有するので、仰臥位の小児Ｃに苦痛を与えることなく、仰臥位の小児Ｃを支持することができる。しかも、この被覆部材２１の収納物として、剛性板１５を有するので、抑制具で体動が抑制されている小児Ｃを抑制具ごと移動させるにあたり、支持体１０の変形を抑えることができる。このため、この移動に伴なう小児Ｃの再出血等を防ぐことができる。特に、本実施形態の剛性板１５は、前述したように、軽量且つ剛性の高い炭素繊維強化樹脂で形成されているので、抑制具で体動が抑制されている小児Ｃを抑制具ごと容易に移動させることができる上に、この移動に伴なう支持体１０の変形をより抑えることができる。また、本実施形態では、抑制具で体動が抑制されている小児Ｃを抑制具ごと移動させるにあたり、看護師等が支持体１０の左下肢支持部と右下肢支持部との間から支持体１０の胴体支持部の下側に片腕を入れることで、容易に小児Ｃを抑制具ごと移動させることができる。なお、支持体１０の左下肢支持部は、弾性部材１１の左下肢支持部１２Ｌと、剛性板１５の左下肢支持部１６Ｌと、被覆袋２２の左足側収納部２３Ｌとを有して構成される。支持体１０の右下肢支持部は、弾性部材１１の右下肢支持部１２Ｒと、剛性板１５の右下肢支持部１６Ｒと、被覆袋２２の右足側収納部２３Ｒとを有して構成される。また、支持体１０の胴体支持部は、弾性部材１１の胴体支持部１２と、剛性板１５の胴体支持部１６と、被覆袋２２の胴収納部２３とを有して構成される。
【００６７】
本実施形態において、被覆部材２１の最外層を形成するシート材をメッシュ地で形成することにより、被覆部材２１の通気性を高めることができる。
【００６８】
本実施形態の抑制具は、抱き帯７０を備えているので、看護師等がこの抱き帯７０を首にまわして肩にかけることで、看護師等が抑制具で体動が抑制されている小児Ｃを抑制具ごと容易に抱き上げることができる。さらに、看護師等が抑制具で体動が抑制されている小児Ｃを抑制具ごと抱き上げていない際には、つまり、抑制具をベッドや検査台等の上に置いている際には、抱き帯部７７を被覆部材２１から外しておくことができる。
【００６９】
本実施形態の抑制具は、胸部フィッテイング具８０及び下肢フィッテイング具８５を備えているでは、胸部サイズが異なる複数の小児Ｃに適用することができると共に、下肢サイズが異なる複数の小児Ｃに適用することができる。
【００７０】
なお、以上の実施形態における被覆袋２２は、足側Ｓｆに開口２６が形成されている。しかしながら、被覆袋の開口は、頭側Ｓｈに形成されてもよい。
【００７１】
また、以上の実施形態における支持体１０は、胴支持部と、互いに離間して胴支持部に接続されている右下肢支持部及び左下肢支持部と、を有する。しかしながら、支持体の製作コストを抑える観点から、右下肢支持部と左下肢支持部とが互いに離間しておらず、支持体全体で矩形状を成すように構成してもよい。この場合、被覆袋の開口は、その側面に形成されてもよい。
【００７２】
また、以上の実施形態の抑制具は、抱き帯７０、胸部フィッテイング具８０、下肢フィッテイング具８５を備えているが、これらを省略してもよい。
【００７３】
以上では、抑制具を構成する各要素の形成材料について説明したが、各要素の形成材料は、以上で説明した材料であってもよいが、他の材料であってもよい。
【符号の説明】
【００７４】
１０：支持体、１１：弾性部材、１２：胴支持部、１２Ｒ：右下肢支持部、１２Ｌ：左下肢支持部、１２１，１２１Ｌ，１２１Ｒ：上面、１２２，１２２Ｌ，１２２：下面、１５：剛性板、１６：胴支持部、１６Ｒ：右下肢支持部、１６Ｌ：左下肢支持部、２１：被覆部材、２２：被覆袋、２３：胴収納部、２３Ｒ：右足側収納部、２３Ｌ：左足側収納部、２６：開口、２３６：足側開口、２３６Ｒ，２３６Ｌ：足側端面開口、２３７Ｒ：左側面開口、２３７Ｌ：左側面開口、２９：閉じ具、２９１，２９１Ｒ，２９１Ｌ，２９２Ｒ，２９２Ｌ：面ファスナー、２９３：閉じ帯、３０：胸部抑制帯、３１：第一胸部抑制帯、３２：第二胸部抑制帯、３５：抑制帯部、３６：面ファスナー、５０：下肢抑制帯、５０Ｒ：右下肢抑制帯、５０Ｌ：左下肢抑制帯、５１：大腿抑制帯、５２：第一大腿抑制帯、５３：第二大腿抑制帯、５５：抑制帯部、５６：面ファスナー、６１：下肢抑制帯、６２：第一下腿抑制帯、６３：第二下腿抑制帯、６５：抑制帯部、６６：面ファスナー、７０：抱き帯、７１：第一端部、７３：第一取付部、７４：第二端部、７６：第二取付部、７７：抱き帯部、８０：胸部フィッテイング具、８１：胸部フィッテイング本体、８２：面ファスナー、８５：下肢フィッテイング具、８６：下肢フィッテイング本体、８７：面ファスナー
【図１】
2016093275.tif 000003
【図２】
2016093275.tif 000004
【図３】
2016093275.tif 000005
【図４】
2016093275.tif 000006
【図５】
2016093275.tif 000007
【図６】
2016093275.tif 000008
【図７】
2016093275.tif 000009
【図８】
2016093275.tif 000010
【図９】
2016093275.tif 000011